(57)【要約】      （修正有）【課題】オートバイ運転者及び極めて危険な活動に従事する人の頭部の負傷を防止するとともに、機能性を拡大した内蔵型記録システムを備えたヘルメットを提供する。【解決手段】ヘルメットは剛性のハウジング１を備え、ハウジング内に組み込まれた記録システムを有している。ハウジングはビンディングエレメント２と、クッションエレメントと、防弾ガラス４とを備えている。記録システムはカメラを備えている。カメラレンズは、顔面領域上方のヘルメットの中央部分に設けられていて、ハウジングの表面を越えて突出していない。記録システムはさらに、ヘルメットハウジングに組み込まれた電源、制御システム、内蔵メモリを備えた記録装置、外部メモリカードに接続する装置、外部機器及び／又は送電網に接続するための電気コネクタを有している。【選択図】図１
0003204115.tif 000002
【実用新案登録請求の範囲】
【請求項１】
オートバイ運転者及び極めて危険な活動に従事する人々のためのヘルメットであって、堅固なハウジングを有しており、該ハウジングは、ビンディングエレメントと、クッションエレメントと、防弾ガラスとを備えていて、ハウジングの内側に組み込まれた記録システムを備え、該記録システムのカメラレンズは、ヘルメットのバイザー締め付けバー上方の中央部分に設けられていて、ハウジングの表面を越えて突出しておらず、前記記録システムは、ヘルメットハウジング内に組み込まれた電源と、制御システムと、内蔵メモリを備えた記録装置と、外部のメモリカードに接続する装置と、外部の機器及び／又は送電網に接続する電気コネクタとを有していることを特徴とする、ヘルメット。
【請求項２】
前記制御システムは、リモートコントローラからの制御信号を受信することができるように形成されている、請求項１記載のヘルメット。
【請求項３】
前記カメラは、映像を記録し、写真を撮影することができ、音声信号を記録するマイクロフォンを備えている、請求項１記載のヘルメット。
【考案の詳細な説明】
【技術分野】
【０００１】
本考案は、内蔵型記録システムを備えた個人用防護手段、特にヘルメットに関し、オートバイ運転者及び極めて危険な活動に従事する人々、例えば特殊部隊士官のために頭部の負傷を防止するために使用することができる。
【０００２】
関連技術
ヘルメットであって、堅固なハウジングを有しており、該ハウジングはビンディングエレメントと、ハウジングの内に組み込まれた記録システムとを備え、該記録システムのカメラレンズは、顔面領域上方のヘルメットの中央部分に設けられていて、ハウジングの表面を越えて突出しておらず、前記記録システムは、ヘルメットハウジング内に組み込まれた電源と、制御システムと、内蔵メモリを備えた記録装置と、外部のメモリカードに接続する装置と、外部の機器及び／又は送電網に接続する電気コネクタとを有しているヘルメットは、よく知られており、広く使用されている。例えば、以下のウェッブサイト参照。
http://bokeh.com.ua/news/42_video_head_kamera_vstroennaya_v_shlem;
http://videoheadhelmets.com/products.
【０００３】
上述したヘルメットは、先行する車両の車輪下方から飛んで来る小石から顔面を保護することができないので、オートバイ運転者には殆ど適していない。カメラのレンズはハウジングの平らな端部に設けられているので、バイザーを組み込むことは不可能である。上述したヘルメットには、防弾ガラスは設けられていない。
【０００４】
関連技術により、オートバイ運転者用のヘルメットであって、堅固なハウジングを有しており、該ハウジングはビンディングエレメントと、クッションエレメントと、ハウジングの内に組み込まれた記録システムを備え、該記録システムのカメラレンズは、ヘルメットのバイザー締め付けバー上方の中央部分に設けられていて、ハウジングの表面を越えて突出していないヘルメットについてのいくつかの情報がある（ＤＥ１９５４２８３５，class A42B 3/04  １９９７年５月２２日発行、参照）。公知の装置の欠点は、外部の記録装置への（ケーブルを介した）接続が必要であって、外部機器へのデータ転送が複雑であるので、自己完結型の操作が不可能であることにある。
【０００５】
考案の開示
本考案により解決すべき主要な課題は、オートバイ運転者及び極めて危険な活動に従事する人々のためのヘルメットを改良することである。
【０００６】
改良されたヘルメットは、必要な全ての機能、特に、自己完結型の操作の可能性と、外部機器へのデータ転送の可能性の実現により、装置の機能性を広げることができる。
【０００７】
上述した課題を解決するために、オートバイ運転者及び極めて危険な活動に従事する人々のためのヘルメットは、堅固なハウジングを有しており、該ハウジングは、ビンディングエレメントと、クッションエレメントと、防弾ガラスと、ハウジングの内に組み込まれた記録システムとを備え、該記録システムのカメラレンズは、ヘルメットのバイザー締め付けバー上方の中央部分に設けられていて、ハウジングの表面を越えて突出していない。さらに、記録システムは、ヘルメットハウジングに組み込まれた電源、制御システム、内蔵メモリを備えた記録装置、外部メモリカードに接続する装置、外部機器及び／又は送電網に接続するための電気コネクタを有している。
【０００８】
制御システムは、リモートコントローラからの制御信号を受信する可能性を備えて形成することができる。カメラは、好適には、映像を記録し、かつ／又は写真を撮影することができ、音声信号を記録するマイクロフォンを備えている。
【０００９】
上記解決手段を図面につき説明する。
【図面の簡単な説明】
【００１０】
【図１】本考案によるヘルメットの主要な部分の写真である。
【図２】カメラレンズの位置を示す図である。
【００１１】
本考案によるヘルメットは剛性のハウジング１を有していて、このハウジング１は、ビンディングエレメント２と、クッションエレメント、例えば発泡ゴムとを備えている。記録システムはハウジング内に組み込まれており、記録システムのカメラレンズ３は、顔面領域上方のヘルメットの中央部分に設けられていて、ハウジングの表面を越えて突出していない。ガラス製のカメラレンズはバイザーの締め付けバー上方のヘルメット中央部分に組み込まれていて、サファイアガラス４によって保護されている。
【００１２】
カメラは、映像を記録し、写真を撮影することができ、音声信号を記録するマイクロフォンを備えている。記録システムはさらに、ヘルメットハウジングに組み込まれた電源、制御システム、内蔵メモリを備えた記録装置、外部メモリカードに接続する装置、外部機器及び／又は送電網に接続するための電気コネクタを有している。電気コネクタにより、この記録システムは、その後の画像処理、音声処理、映像処理のためのコンピュータや、バッテリ再充電のための送電網や、情報を直接表示するための外部モニタディスプレイに接続することができる。制御システムは、ヘルメット装着者の衣服に取り付けることができるリモートコントローラからの制御信号を受信する可能性を想定している。さらに、走行モードの視覚的なインジケータ、シールされたコネクタ（その後の画像処理、音声処理、映像処理のためのＰＣにヘッドマウントディスプレイを接続するためのもの）、バッテリ充電、外部のテレビモニタによる直接情報表示、ユニット全体の外部リモートコントローラ、マイクロフォンをヘルメットに組み込むことができる。
【００１３】
考案の実施態様
本考案により、試作品が製作された（図１、図２参照）。ヘルメット自体は、「Ｓｐｅｃｉａｌ  Ｍａｔｅｒｉａｌｓ社」によるセーフティーヘルメットＫ−１Ｃ（safety  helmet  K-1C）が使用された。記録システムとしては、運転用ダッシュカメラ（プロフェッショナル車載カメラフルＨＤ）が使用された。このカメラの全エレメントが、標準ハウジングから取り外され、ヘルメットの内側部分に配置された。
【００１４】
ガラス製のカメラレンズはバイザーの締め付けバー上方のヘルメット中央部分に組み込まれ、サファイアガラス４によって保護された。内蔵メモリを備えた記録装置は、ヘルメットの内側部分から取り付けられていて、外部入力に対してシールドされている。記録装置は以下の特徴を有する；
ビデオレコーディング、フルＨＤ、ＨＤ、解像度１９２０×１０８０ｉ
充電池  １０５０ｍＡｈ
写真解像度  １６Ｍｐ
表示角度  １２０°
【００１５】
サイクルレコーディングが、内蔵メモリ又は３２Ｇｂまでのメモリ空間を有したマイクロＳＤメモリカードへと行われる。外部のメモリカードに接続する装置は、ヘルメットの内側部分にハウジングとクッションエレメントとの間で位置している。
【００１６】
記録システムをオンにするために、トグルスイッチの形の制御システムが設けられた。トグルスイッチには、電源ボタンとプレイボタンが設けられている。記録モードと写真モードで操作するために、リモートコントローラが設けられている。
【００１７】
コンピュータやテレビに接続せずに記録を見るためには、ディスプレイモニタを使用することができる。このディスプレイモニタは、記録装置自体に配置されたコネクタによって、記録システムに接続することができる。ＵＳＢ２．０ソケットが、バッテリの充電と、内蔵メモリ又はマイクロＳＤカードからの情報を受け取るために、ヘルメットの背面に設けられている。このソケットを介して情報を受け取ることにより、マイクロＳＤカードの作動時間は明らかに増加する。
【００１８】
産業上の利用可能性
記録システムの全ての構成要素は、このヘルメットを装着している人にいかなる妨害も与えないように配置されている。作動温度は−２８℃〜＋４０℃である。ヘルメット除く記録システムの重さは１２５ｇである。
【００１９】
記録システムの全ての要素は、ヘルメットハウジング内部に位置しているので、ヘルメットは携帯性を維持し、便利に活用でき、その外観は大きく変わらなかった。同時に、外部機器との接続の多機能手段の利用可能性により、昨今の周辺機器との互換性が高くなる。
【図１】
0003204115.tif 000003
【図２】
0003204115.tif 000004